(57)【特許請求の範囲】
【請求項１】
柔軟性を有する面光源であって、広がりのある面全体から光を発する発光面を有する面光源と、
前記面光源を点灯させる点灯ユニットを内部に収納する器具本体であって本体前面部が開口する器具本体と、前記器具本体に被せるように取り付けられ、前記本体前面部を覆うケース前面部と本体底面部を覆うケース底面部とを有する表示板ケースとを備える本体と
を備え、
前記ケース前面部は、前面開口部を有し、
前記ケース底面部は、前記ケース前面部から連続して滑らかに湾曲すると共に、底面開口部を有し、
前記面光源は、
前記発光面が前記前面開口部と前記底面開口部とを塞ぐように、前記ケース前面部から前記ケース底面部にわたって湾曲されて前記表示板ケースの内側に沿って取り付けられることを特徴とする照明器具。
【請求項２】
前記照明器具は、さらに、
前記発光面の外側で、かつ、前記表示板ケースの内側に取り付けられ、前記前面開口部から情報を表示するとともに前記発光面から発せられる光を透過させる情報表示パネルを備えることを特徴とする請求項１に記載の照明器具。
【請求項３】
前記表示板ケースは、
前記ケース前面部の内側面に、前記情報表示パネルと前記面光源とを挟んで前記表示板ケースに取り付ける挟持爪部を備えることを特徴とする請求項２に記載の照明器具。
【請求項４】
前記表示板ケースは、ケース後面部が開放され、
前記ケース底面部は、前記ケース後面部の側の端部に、内側に突出する凸部を備え、
前記面光源は、前記ケース後面部の側の光源端部において前記凸部に対応する位置に端穴部を備え、前記端穴部に前記凸部が挿入されることにより、前記光源端部が前記表示板ケースに固定されることを特徴とする請求項１から３のいずれかに記載の照明器具。
【請求項５】
前記表示板ケースは、ケース上面部が開放され、
前記器具本体は、前記表示板ケースが取り付けられた状態で、前記ケース上面部から露出する本体上面部を備え、
前記本体上面部は、電源線を前記器具本体の内部に挿入させる電源挿入穴がノックアウト加工により形成されることを特徴とする請求項１から４のいずれかに記載の照明器具。
【請求項６】
前記面光源は、有機ＥＬ（エレクトロ・ルミネッセンス）であることを特徴とする請求項１から５のいずれかに記載の照明器具。
【発明の詳細な説明】
【技術分野】
【０００１】
本発明は、例えば、面光源を備える照明器具に関する。
【背景技術】
【０００２】
導光体の端部より光源の光を入射させ、導光体を面状に均一に光らせるエッジライト方式の照明装置の技術がある（特許文献１参照）。
【先行技術文献】
【特許文献】
【０００３】
【特許文献１】特開平０９−１９９９１９号公報
【発明の概要】
【発明が解決しようとする課題】
【０００４】
従来の蛍光灯を用いた誘導灯において、表示面を照射するとともに足元を照らすことができる器具がある。一方、省電力化を目的として、光源が蛍光灯から冷陰極ランプ、ＬＥＤ（発光ダイオード）へ変わり、内照式から導光板を使用したエッジライト方式へと移り替わってきた。エッジライト方式の器具は、従来の蛍光灯を使用した内照式のように表示面を照射するとともに下面も照射することが難しく、１つの光源もしくは１つの光源ユニットでは技術的に困難であるという課題があった。
【０００５】
本発明は、上記のような課題を解決するためになされたもので、省電力化を図るとともに１つの光源で器具正面と器具底面とを同時に照射することのできる照明器具を提供することを目的とする。
【課題を解決するための手段】
【０００６】
本発明に係る照明器具は、柔軟性を有する面光源であって、広がりのある面全体から光を発する発光面を有する面光源と、前面と底面とを備える本体であって、前記前面に前面開口部を有するとともに前記底面に底面開口部を有する本体とを備え、前記面光源は、前記発光面が前記前面開口部と前記底面開口部とを塞ぐように、前記前面から前記底面にわたって湾曲されて前記本体の内側に取り付けられることを特徴とする。
【発明の効果】
【０００７】
本発明に係る照明器具は、柔軟性を有する面光源であって、広がりのある面全体から光を発する発光面を有する面光源と、前面と底面とを備える本体であって、前記前面に前面開口部を有するとともに前記底面に底面開口部を有する本体とを備え、前記面光源は、前記発光面が前記前面開口部と前記底面開口部とを塞ぐように、前記前面から前記底面にわたって湾曲されて前記本体の内側に取り付けられているので、省電力化を図るとともに１つの光源で器具正面と器具底面とを同時に照射することができるという効果を奏する。
【図面の簡単な説明】
【０００８】
【図１】実施の形態１に係る誘導灯１００の斜視図である。
【図２】実施の形態１に係る誘導灯１００を示す図であり、（ａ）は表示ユニット１３０の斜視図、（ｂ）は器具本体１１０の斜視図である。
【図３】実施の形態１に係る誘導灯１００の（ａ）正面図、（ｂ）下面図、（ｃ）上面図、（ｄ）側面図、（ｅ）背面図である。
【図４】図３（ａ）のＡ−Ａ断面図である。
【図５】実施の形態１に係る表示ユニット１３０の斜視図である。
【図６】実施の形態１に係る表示ユニット１３０の分解斜視図である。
【図７】図５の表示ユニット１３０を内側（裏側）から見た図である。
【図８】実施の形態１に係る表示ユニット１３０を示す図であり、（ａ）は図７のＣ−Ｃ断面図、（ｂ）は（ａ）のＤ部の部分拡大図である。
【図９】図７のＥ−Ｅ断面図である。
【図１０】実施の形態２に係る面発光照明器具９００を示す図である。
【発明を実施するための形態】
【０００９】
実施の形態１．
図１は、本実施の形態に係る誘導灯１００の斜視図である。図２は、本実施の形態に係る誘導灯１００を示す図であり、（ａ）は表示ユニット１３０の斜視図、（ｂ）は器具本体１１０の斜視図である。図３は、本実施の形態に係る誘導灯１００の（ａ）正面図、（ｂ）下面図、（ｃ）上面図、（ｄ）側面図、（ｅ）背面図である。図４は、図３（ａ）のＡ−Ａ断面図である。図１〜図４を用いて、本実施の形態に係る誘導灯１００の全体構成について説明する。
【００１０】
図１に示すように、本実施の形態に係る誘導灯１００（照明器具）は、器具本体１１０と、この器具本体１１０に被せるように取り付けられる表示ユニット１３０とを備える。表示ユニット１３０には、表示板１６０と、有機ＥＬ（エレクトロ・ルミネッセンス）１７０とが取り付けられる。
【００１１】
表示板１６０は、表面に情報を伝達するためのピクト１６１を有するとともに、光を透過させる透過性を有する樹脂材料等により形成されたパネルである。有機ＥＬ１７０は、柔軟性を有し、広がりのある面全体から光を発する発光面１７１を有する面光源である。
【００１２】
誘導灯１００は、表示板１６０と有機ＥＬ１７０とを重ねるように取り付ける。誘導灯１００は、有機ＥＬ１７０から発せられる光を表示板１６０に透過させることによりピクト１６１を表示し、情報を周囲に伝達する。図１に示すように、誘導灯１００は、例えば「避難口はこちら」を意味するピクトを表示し、避難口の位置を周囲に伝達する。誘導灯１００における表示板１６０と有機ＥＬ１７０との取付構造については後述する。
【００１３】
図２（ｂ）に示すように、器具本体１１０は、一面（前面）が開口する本体開口１１５と、本体開口１１５に対向して位置する本体後面１１６と、本体底面１１１と、本体側面１１２と、本体上面１１３とを備える平箱状である。器具本体１１０は、点灯ユニット１２０と、電源端子台１４０と、蓄電池１５０とを内部に収納する。
【００１４】
図２に示すように、器具本体１１０の本体後面１１６には、商用電源につながる電源線（図示なし）を器具内に挿入するための電源用ノックアウト１１６ａと、壁面などに取り付けるために用いる取付用ノックアウト１１６ｂとを備える。これらは、誘導灯１００の本体後面１１６を、例えば壁面等に取り付ける場合に使用される。
【００１５】
ノックアウトとは、押圧等することにより、所定の部分を抜きやすく（外しやすく）形成している部分をいう。したがって、例えば、電源用ノックアウト１１６ａは、使用しない状態では、電源用の穴の周縁となる部分に切り込みが設けられているが穴は開いていない状態である。使用時には、電源用ノックアウト１１６ａを押圧等することにより、電源用の穴が開けられ、電線を通過させることが可能となる。
【００１６】
図３（ｃ）に示すように、器具本体１１０の本体上面１１３には、商用電源につながる電源線を器具内に挿入するための電源用ノックアウト１１３ａと、天井などに取り付けるために使用される取付用ノックアウト１１３ｂとを備える。これらは、誘導灯１００を、例えば天井面等に取り付ける場合に使用される。
【００１７】
以上のように、器具本体１１０に、電源用ノックアウト１１３ａ，１１６ａ、取付用ノックアウト１１３ｂ，１１６ｂを設けることで、電源線が挿入されない電源穴、ネジが挿入されない取付穴等の不要な穴をなくすことができる。つまり、誘導灯１００を壁面あるいは天井面に取り付ける場合、必要な部分のノックアウトのみを外すことができるので、誘導灯１００の美観を損ねることはない。
【００１８】
点灯ユニット１２０には、商用電源より電源端子台１４０を介して電力が供給される。点灯ユニット１２０は、表示ユニット１３０を点灯させる。
【００１９】
蓄電池１５０は、停電などの商用電源遮断時に、人々が避難するまでの一定時間、点灯ユニット１２０へ電力を供給するためのものである。
【００２０】
蓄電池１５０は、平常時は、商用電源より電源端子台１４０を介して電力が供給され充電される。蓄電池１５０は、非常時（停電などの商用電源遮断時）には、商用電源から電力が供給されないので、蓄電されている電力を点灯ユニット１２０に供給する。そして、点灯ユニット１２０は、非常時（停電時）であっても、一定時間、表示ユニット１３０を点灯させることができる。
【００２１】
図２（ａ）に示すように、表示ユニット１３０は、表示板ケース１８０と、表示板ケース１８０に取り付けられる表示板１６０と、表示板１６０に光を照射し、表示板１６０に光を通過させて表示板１６０の情報を表示させる有機ＥＬ１７０（面光源）とを備える。
【００２２】
表示板ケース１８０は、ケース側面１８２と、ケース前面１８３と、ケース底面１８１とを備える平箱状である。表示板ケース１８０の上面と後面とは開放されている。表示板ケース１８０は、表示ユニット１３０の本体である。あるいは、器具本体１１０に表示ユニット１３０を取り付けた状態において、表示板ケース１８０と器具本体１１０とが誘導灯１００（照明器具）の本体であるともいえる。
【００２３】
表示板ケース１８０は、ケース前面１８３に前面開口部１８４を有するとともにケース底面１８１に底面開口部１８５を有する。有機ＥＬ１７０（面光源）は、発光面１７１が前面開口部１８４と底面開口部１８５とを塞ぐように、ケース前面１８３からケース底面１８１にわたって湾曲され、表示板ケース１８０の内側に取り付けられる。
【００２４】
図２及び図３に示すように、表示板ケース１８０は、ケース前面１８３からケース底面１８１にわたって滑らかに連続するケース曲面１８６を有する。つまり、有機ＥＬ１７０は、ケース曲面１８６に沿って湾曲されて表示板ケース１８０に取り付けられる。
【００２５】
図３（ｄ）に示すように、表示板ケース１８０をケース側面１８２から見ると、ケース底面１８１は、円弧状に突き出しており、ケース前面１８３からケース底面１８１にわたって滑らかに連続するケース曲面１８６を有する。
【００２６】
ケース前面１８３の前面開口部１８４は、表示板１６０により塞がれており、表示板１６０の内側（裏側）に有機ＥＬ１７０が重なって取り付けられる（図４参照）。誘導灯１００には、ケース前面１８３、ケース曲面１８６、ケース底面１８１にわたって１つ（１枚）の面光源である有機ＥＬが取り付けられる。１つ（１枚）の有機ＥＬ１７０は、前面開口部１８４を塞ぐとともに、ケース曲面１８６に沿って湾曲され底面開口部１８５をも塞いでいる。
【００２７】
したがって、前面開口部１８４部分では、表示板１６０の内側の領域の有機ＥＬ１７０から発せられた光が表示板１６０を透過して、表示板１６０のピクト１６１を表示する。底面開口部１８５部分では、底面開口部１８５から有機ＥＬ１７０の発光面１７１が露出し、誘導灯１００の下方を照射する。
【００２８】
図２（ｂ）に示すように、器具本体１１０本体側面１１２には、角穴部１１７が設けられる。角穴部１１７は、本体側面１１２の本体上面１１３側と本体底面１１１側との２カ所に形成され、両側の本体側面１１２で合計４カ所の角穴部１１７が形成される。
【００２９】
表示板ケース１８０のケース側面１８２の内側には、器具本体１１０の角穴部１１７に対応する位置に、爪部１８７（図４参照）が形成される。表示板ケース１８０は、ケース側面１８２の内側の上方と下方との２カ所に爪部１８７が形成される。両側のケース側面１８２で合計４つの爪部１８７が形成される。
【００３０】
図４に示すように、表示ユニット１３０は、器具本体１１０に被せるように取り付けられる。器具本体１１０の角穴部１１７に表示ユニット１３０（表示板ケース１８０）の爪部１８７を嵌め込むことにより、器具本体１１０に表示ユニット１３０を固定する。
【００３１】
図５は、本実施の形態に係る表示ユニット１３０の斜視図である。図６は、本実施の形態に係る表示ユニット１３０の分解斜視図である。図７は、図５の表示ユニット１３０を内側（裏側）から見た図である。図８は、本実施の形態に係る表示ユニット１３０を示す図であり、（ａ）は図７のＣ−Ｃ断面図、（ｂ）は（ａ）のＤ部の部分拡大図である。図９は、図７のＥ−Ｅ断面図である。図１０は、本実施の形態に係る照明器具（面発光照明器具９００）を示す図である。図５〜図９を用いて、有機ＥＬ１７０及び表示板１６０の取付方法について説明する。
【００３２】
上述したように、表示ユニット１３０は、表示板１６０と、表示板１６０の裏面に取り付けられる有機ＥＬ１７０とを備える。さらに、表示ユニット１３０は、ケース前面１８３（正面）に前面開口部１８４を有し、ケース底面１８１（下面）に底面開口部１８５を有する箱状をなし、ケース前面１８３に表示板１６０を取り付けるとともに、表示板１６０の裏面及びケース底面１８１に有機ＥＬ１７０を収納する表示板ケース１８０を備える。
【００３３】
表示板１６０は、透過性の樹脂材料等により形成され、表面には避難口、もしくは避難口の方向を示すピクト１６１が印刷されている。
【００３４】
図６に示すように、有機ＥＬ１７０は、長方形状をなし、一辺よりに端穴部１７２を有する。有機ＥＬ１７０は、１枚のシート状で、変形可能な素材となっている。ここでは、有機ＥＬ１７０を用いているが、例えば、無機ＥＬやフレキシブルＬＥＤ基板等の面光源でもよい。
【００３５】
有機ＥＬ１７０のケース底面１８１側（下方）の端部の辺を光源端辺１７３とし、有機ＥＬ１７０のケース底面１８１側の反対側（上方）の端部の辺を光源上辺１７４とする。有機ＥＬ１７０は、光源端辺１７３近傍の２カ所に端穴部１７２を有する。
【００３６】
図７に示すように、表示板ケース１８０は、ケース前面１８３の上方の端辺をケース上辺部１９１とし、ケース底面１８１の端辺をケース端辺部１９０とする。
【００３７】
表示板ケース１８０は、ケース端辺部１９０近傍の内側の位置に、有機ＥＬ１７０の端穴部１７２に対応する突起である凸部１８８を備える。凸部１８８は、有機ＥＬ１７０が表示板ケース１８０に取り付けられた場合に、有機ＥＬ１７０の端穴部１７２に挿入される突起である。
【００３８】
図８（ａ）は、図７のＣ−Ｃ断面図であり、ケース端辺部１９０を上方から見た図である。図８（ａ）に示すように、有機ＥＬ１７０の端穴部１７２に、ケース端辺部１９０近傍の内側に形成された凸部１８８が挿入される。端穴部１７２に凸部１８８が挿入されることにより、有機ＥＬ１７０の光源端辺１７３近傍がケース端辺部１９０近傍に取り付けられ固定される。
【００３９】
図７、図８に示すように、表示板ケース１８０のケース前面１８３とケース側面１８２との角部の内側に、表示板１６０及び有機ＥＬ１７０とを挟み込んで、表示板ケース１８０に係止する挟持爪部１８９を備える。挟持爪部１８９は、角部の上方と下方との２カ所に設けられ、両側の角部で合計４カ所に設けられる。
【００４０】
表示板１６０は、上述したように、有機ＥＬ１７０とともに挟持爪部１８９に挟み込まれることにより取り付けられる。あるいは、例えば、次のように取り付けられる。表示板１６０の大きさを、前面開口部１８４の開口領域と同一の大きさとし、表示板１６０の外周と前面開口部１８４の開口周縁（内周）とを接着剤等で接着してもよい。あるいは、表示板１６０の外周と前面開口部１８４の開口周縁とを取り外し可能なように固定してもよい（図２、図４参照）。
【００４１】
図８（ａ）に示すように、前面開口部１８４の幅をＬ１とし、表示板１６０及び有機ＥＬ１７０の幅をＬ２とする。有機ＥＬ１７０と表示板１６０とは、重ねて２枚一緒に挟持爪部１８９に挟持されるので、有機ＥＬ１７０の幅と表示板１６０の幅とは略等しいことが好ましい。
【００４２】
図８（ａ）に示すように、前面開口部１８４の幅Ｌ１よりも、表示板１６０及び有機ＥＬ１７０の幅Ｌ２の方がやや長く形成されている（Ｌ１＜Ｌ２）。これにより、表示板１６０及び有機ＥＬ１７０により、前面開口部１８４を完全に塞ぐことができる。
【００４３】
図７に示すように、底面開口部１８５の幅をＬ３とする。表示板１６０及び有機ＥＬ１７０の幅Ｌ２と、前面開口部１８４の幅Ｌ１と、底面開口部１８５の幅Ｌ３との関係が、Ｌ３≦Ｌ１＜Ｌ２となることが好ましい。このような関係にすることにより、前面開口部１８４は表示板１６０及び有機ＥＬにより完全に塞がれるとともに、底面開口部１８５は有機ＥＬ１７０により完全に塞がれる。また、情報を伝達するための表示板１６０が取り付けられる領域（すなわち、前面開口部１８４の開口領域）はなるべく広い方が好ましい。したがって、前面開口部１８４の幅Ｌ１は、下方を照射するための底面開口部１８５の幅Ｌ３と等しいか、あるいは長い方がよい。
【００４４】
図７に示すように、ケース上辺部１９１近傍には、有機ＥＬ１７０の光源上辺１７４を係止する突起である係止突起１９２が設けられる。
【００４５】
図５〜図９を用いて、表示板ケース１８０に表示板１６０及び有機ＥＬ１７０を取り付ける方法（取付手順）について説明する。
【００４６】
まず、表示板１６０の裏面と有機ＥＬ１７０の発光面１７１とを当接するように重ね、表示板１６０の表示板上端１６２（図９参照）と有機ＥＬ１７０の光源上辺１７４とを揃えて、表示板ケース１８０の裏側（内側）の係止突起１９２に下方から突き当て位置決めをする。
【００４７】
次に、表示板１６０と有機ＥＬ１７０とを前面開口部１８４を塞ぐように配置し、表示板１６０と有機ＥＬ１７０との両側の側辺部を２枚一緒に挟持爪部１８９に挟み込む（図８（ｂ）参照）。上述したように、Ｌ１＜Ｌ２の関係なので、前面開口部１８４の周縁の内側には、表示板１６０及び有機ＥＬ１７０と重なる重なり部１９３が生じる（図８（ｂ）参照）。この重なり部１９３により、表示板１６０及び有機ＥＬ１７０が前面開口部１８４から外れるのを防ぐことができる。
【００４８】
次に、有機ＥＬ１７０をケース曲面１８６からケース底面１８１にわたって沿うように湾曲させる。
【００４９】
そして、有機ＥＬ１７０の光源端辺１７３の端穴部１７２に凸部１８８を挿入して、有機ＥＬ１７０の光源端辺１７３近傍を固定する。
【００５０】
以上により、表示ユニット１３０が組み立てられる。そして、図２及び図４において説明したように、器具本体１１０に表示ユニット１３０を被せるように取り付け、誘導灯１００の組み立てが終了する。誘導灯１００は、表示板１６０が取り付けられている正面（前面）だけでなく、湾曲している有機ＥＬ１７０の発光面が露出している下部（下方）への照射も可能となり、避難する人々の足元を照らすことができる。
【００５１】
また、本実施の形態に係る誘導灯では、光源に有機ＥＬ１７０を用いたので、表示板１６０の輝度を均一にできるとともに、１つの光源で誘導灯１００が設置された位置の下面（下方）も照射することができる。光源は、有機ＥＬ１７０の他に、例えば、無機ＥＬでもよい。あるいは、発光面にＬＥＤチップ等を装着したフレキシブル光源基板等でも適用可能である。この場合は、発光面の表面の凹凸が少なくなるように加工することが必要である。
【００５２】
また、本実施の形態に係る誘導灯１００では、光源に有機ＥＬ１７０を用いているので、光源の色を可変することができる。例えば、下面照射部分の色を変化させて、誘導灯１００の状態（蓄電池１５０などの点検を行っている状態、蓄電池１５０が異常（寿命）状態、外部の機器（例えば、煙感知器）などに接続されている場合は、避難先に煙が充満していることを通知する状態など）を、ユーザー（周囲の人々）に知らせることができる。
【００５３】
実施の形態２．
図１０は、本実施の形態に係る面発光照明器具９００を示す図である。図１０は、実施の形態１の図２に対応する図であり、同様の機能を有する構成については同一の符号を付し、その説明を省略する。
【００５４】
実施の形態１では、照明器具の形態が誘導灯１００である場合を説明した。誘導灯１００では、表示板１６０に避難口もしくは避難口の方向を示すピクト１６１を印刷し、また、商用電源が遮断された非常時にも動作可能なように蓄電池１５０を備える場合について説明した。
【００５５】
本実施の形態では、表示板に図柄を表示しない面発光照明器具９００について説明する。図１０に示すように、面発光照明器具９００は、実施の形態１の表示板１６０に代えて、樹脂材料等により形成された透明な保護パネル９１０を備える。
【００５６】
あるいは、保護パネル９１０にインフォメーション情報などを印刷して、表示用照明器具として構成してもよい。
【００５７】
実施の形態１〜２に係る照明器具（誘導灯１００、面発光照明器具９００）は、ケース前面１８３は平面としたが、ケース前面１８３が平面状でなくてもよい。照明器具のデザインとして、例えば、ケース前面１８３が波状の曲面に形成されていたり、円弧状に形成されていてもよい。有機ＥＬ１７０のシートを湾曲させることによりケース前面１８３に沿うように取り付けることができれば実施の形態１〜２は適用可能である。
【００５８】
また、実施の形態１〜２に係る照明器具（誘導灯１００、面発光照明器具９００）では、底面開口部１８５から有機ＥＬ１７０の発光面１７１が直接露出する構造となっているが、発光面１７１に透明シート等の保護カバーを取りつけてもよい。
【００５９】
また、実施の形態１〜２に係る照明器具（誘導灯１００、面発光照明器具９００）において、前面開口部１８４の周縁の内側の面、あるいは、底面開口部１８５の周縁の内側の面にパッキンを設けてもよい。これにより、前面開口部１８４の周縁と表示板１６０の重なり部分Ｆ（図９参照）や前面開口部１８４の周縁と有機ＥＬ１７０の発光面１７１との重なり部分Ｂ（図９参照）等から、ゴミや虫等が誘導灯内部に侵入するのを防ぐことができる。特に、底面開口部１８５は、有機ＥＬ１７０を湾曲させて塞いでいるので、隙間ができやすいと考えられる。したがって、底面開口部１８５の周縁の内側の面に、底面開口部１８５の周囲にわたってパッキンを取りつけることは有効である。
【００６０】
以上のように、実施の形態１〜２に係る照明器具（誘導灯１００、面発光照明器具９００）によれば、面光源（有機ＥＬ１７０）及び表示板１６０（保護パネル９１０）を備える表示ユニットを、着脱可能に器具本体１１０に取り付けることができる。また、面光源（有機ＥＬ１７０）及び表示板１６０（保護パネル９１０）は、表示ユニット１３０に着脱可能に取り付けられている。したがって、実施の形態１〜２に係る照明器具（誘導灯１００、面発光照明器具９００）によれば、複数種類の表示板１６０（保護パネル９１０）を装着可能であり、表示を変更可能な表示用照明器具とすることができる。
【００６１】
また、実施の形態１〜２に係る照明器具（誘導灯１００、面発光照明器具９００）によれば、光源に有機ＥＬ１７０などの面光源もしくはその他の面光源ユニット１つを使用し、光源を湾曲させることにより器具正面と器具底面を同時に照射可能である。さらに、実施の形態１〜２に係る照明器具（誘導灯１００、面発光照明器具９００）によれば、光源として省エネ効果の高い有機ＥＬ１７０を用いているので、省電力の照明器具を提供することができる。
【符号の説明】
【００６２】
１００  誘導灯、１１０  器具本体、１１１  本体底面、１１２  本体側面、１１３  本体上面、１１３ａ  電源用ノックアウト、１１３ｂ  取付用ノックアウト、１１５  本体開口、１１６  本体後面、１１６ａ  電源用ノックアウト、１１６ｂ  取付用ノックアウト、１１７  角穴部、１２０  点灯ユニット、１３０  表示ユニット、１４０  電源端子台、１５０  蓄電池、１６０  表示板、１６１  ピクト、１６２  表示板上端、１７０  有機ＥＬ、１７１  発光面、１７２  端穴部、１７３  光源端辺、１７４  光源上辺、１８０  表示板ケース、１８１  ケース底面、１８２  ケース側面、１８３  ケース前面、１８４  前面開口部、１８５  底面開口部、１８６  ケース曲面、１８７  爪部、１８８  凸部、１８９  挟持爪部、１９０  ケース端辺部、１９１  ケース上辺部、１９２  係止突起、１９３  重なり部、９００  面発光照明器具、９１０  保護パネル。
【図１】
0005734115.tif 000002
【図２】
0005734115.tif 000003
【図３】
0005734115.tif 000004
【図４】
0005734115.tif 000005
【図５】
0005734115.tif 000006
【図６】
0005734115.tif 000007
【図７】
0005734115.tif 000008
【図８】
0005734115.tif 000009
【図９】
0005734115.tif 000010
【図１０】
0005734115.tif 000011